【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
評価デバイス（Ｅ）と少なくとも１つの容量性センサの電極構成とを備えている印刷回路基板（Ｐ）であって、前記電極構成は、一方が他方の上に配列され、互に離間されている少なくとも２つの電極（Ａ，Ｃ）を備え、各々は、前記印刷回路基板（Ｐ）の少なくとも１つの導電層の一部によって形成され、前記電極構成の少なくとも１つの電極（Ａ；Ｃ）は、前記印刷回路基板（Ｐ）の導体経路（ＬＢ）を介して前記評価デバイス（Ｅ）と結合されており、
前記少なくとも１つの電極構成は、前記印刷回路基板（Ｐ）の縁領域に配列されていることにより、前記電極構成の少なくとも１つの電極（Ａ，Ｃ）が、前記印刷回路基板（Ｐ）の前記縁領域内において、前記印刷回路基板（Ｐ）の縁（Ｋ）まで延在し、前記印刷回路基板（Ｐ）の前記縁（Ｋ）のそれぞれの領域は、前記容量性センサを形成することを特徴とする、印刷回路基板。
【請求項２】
前記電極構成の全部の電極（Ａ，Ｃ）は、前記印刷回路基板（Ｐ）の導体経路（ＬＢ）を介して前記評価デバイス（Ｅ）と結合されている、請求項１に記載の印刷回路基板。
【請求項３】
前記電極構成は、上側電極（Ａ）と下側電極（Ｃ）との間に配列されている第３の電極（Ｂ）を有し、前記上側電極（Ａ）または前記下側電極（Ｃ）は、伝送電極として動作させられ得、それぞれの他方の電極（Ｃ；Ａ）は、受信電極として動作させられ得、前記第３の電極（Ｂ）は、補償電極および／または接地電極として動作させられ得る、請求項１〜２のいずれかに記載の印刷回路基板。
【請求項４】
前記電極構成は、上側電極（Ａ）と下側電極（Ｃ）との間に配列されている第３の電極（Ｂ）を有し、前記上側電極（Ａ）および前記下側電極（Ｃ）は、それぞれ、接地電極として動作させられ得、前記第３の電極（Ｂ）は、負荷電極として動作させられ得る、請求項１または２のいずれかに記載の印刷回路基板。
【請求項５】
前記電極構成は、前記電極構成の前記上側電極（Ａ）と前記下側電極（Ｃ）との間に配列されている少なくとも２つのさらなる電極（Ｂ，Ｄ）を有し、前記上側電極（Ａ）と前記下側電極（Ｃ）との間に配列されている前記さらなる電極（Ｂ，Ｄ）のうちの一方の電極は、補償電極（Ｂ）として動作させられ得、前記それぞれの他方の電極は、接地電極（Ｄ）として動作させられ得る、請求項３または４に記載の印刷回路基板。
【請求項６】
前記電極構成の少なくとも１つの電極（Ｂ）は、少なくとも部分的に、前記印刷回路基板（Ｐ）の周りの周辺に配列されている、請求項１〜５のいずれかに記載の印刷回路基板。
【請求項７】
前記電極構成の少なくとも２つの電極（Ｂ，Ｄ）は、前記印刷回路基板（Ｐ）の同じ導電層の一部によって形成されている、請求項３〜６のいずれかに記載の印刷回路基板。
【請求項８】
少なくとも１つのさらなる電極は、前記印刷回路基板（Ｐ）の表面（Ｋ）の前記縁領域に配列されている導電層によって形成されている、請求項１〜７のいずれかに記載の印刷回路基板。
【請求項９】
前記印刷回路基板（Ｐ）は、前記縁領域、好ましくは、前記印刷回路基板（Ｐ）の２つの反対縁（Ｋ１、Ｋ２）に配列されている少なくとも２つの電極構成を有し、一方の電極構成の少なくとも１つの電極は、伝送電極として動作可能であり、他方の電極構成の少なくとも１つの電極は、受信電極として動作可能である、請求項１〜８のいずれかに記載の印刷回路基板。
【請求項１０】
前記電極構成の少なくとも２つの電極（Ａ，Ｂ）は、異なる交番電気信号で負荷がかけられ得る、請求項１〜９のいずれかに記載の印刷回路基板。
【請求項１１】
前記評価デバイス（Ｅ）は、少なくとも２つの動作モードで動作させられ得、前記評価デバイス（Ｅ）の動作モードに応じて、前記電極構成の複数の電極は各々、交番電気信号で負荷がかけられ得る、請求項１〜１０のいずれかに記載の印刷回路基板。
【請求項１２】
前記印刷回路基板は、両面印刷回路基板であり、前記電極構成の電極のうちの少なくとも１つは、前記印刷回路基板（Ｌ）の上側面（Ｏ）に配列され、前記電極構成の残りの電極は、前記印刷回路基板（Ｌ）の下側面（Ｕ）に配列されている、請求項１〜１１のいずれかに記載の印刷回路基板。
【請求項１３】
前記印刷回路基板（Ｐ）は、少なくとも部分的に、可撓性に設計されている、請求項１〜１２のいずれかに記載の印刷回路基板。
【請求項１４】
前記印刷回路基板（Ｐ）上に、少なくとも１つのさらなる電極（ＶＥ；ＶＥ１；ＶＥ２）が配列され、前記少なくとも１つのさらなる電極（ＶＥ；ＶＥ１；ＶＥ２）は、前記評価デバイス（Ｅ）と直接結合されず、容量性またはガルバニック様式において、前記電極構成の少なくとも１つの電極と結合され得、前記少なくとも１つのさらなる電極は、好ましくは、前記印刷回路基板（Ｐ）の導電層の一部によって形成され得る、請求項１〜１３のいずれかに記載の印刷回路基板。
【請求項１５】
請求項１〜１４のいずれかに記載の少なくとも１つの印刷回路基板（Ｐ）を備えている、電気携帯用デバイス。
【手続補正２】
【補正対象書類名】明細書
【補正対象項目名】００２９
【補正方法】変更
【補正の内容】
【００２９】
例えば、電気携帯用デバイスは、スマートフォン、モバイル無線ユニット、携帯電話、コンピュータマウス、遠隔制御、デジタルカメラ、モバイルミニコンピュータ、タブレットＰＣ、または別の電気携帯用デバイスであり得る。
本願明細書は、例えば、以下の項目も提供する。
（項目１）
評価デバイス（Ｅ）と少なくとも１つの容量性センサの電極構成とを備えている印刷回路基板（Ｐ）であって、前記電極構成は、一方が他方の上に配列され、互に離間されている少なくとも２つの電極を備え、各々は、前記印刷回路基板（Ｐ）の少なくとも１つの導電層の一部によって形成され、前記電極構成の少なくとも１つの電極は、前記印刷回路基板（Ｐ）の導体経路を介して前記評価デバイス（Ｅ）と結合されている、印刷回路基板。
（項目２）
前記電極構成の電極は、前記印刷回路基板（Ｐ）の導体経路を介して前記評価デバイス（Ｅ）と結合されている、項目１に記載の印刷回路基板。
（項目３）
前記電極構成は、１つの上側電極（Ａ）と１つの下側電極（Ｃ）との間に配列されている第３の電極（Ｂ）を有し、前記上側電極（Ａ）および前記下側電極（Ｃ）の一方の電極は、伝送電極として動作させられ、前記上側電極（Ａ）および前記下側電極（Ｃ）のそれぞれの他方の電極は、受信電極として動作させられ、前記第３の電極（Ｂ）は、補償電極および／または接地電極として動作させられる、項目１〜２のいずれかに記載の印刷回路基板。
（項目４）
前記電極構成は、上側電極（Ａ）と下側電極（Ｃ）との間に配列されている第３の電極（Ｂ）を有し、前記上側電極（Ａ）および前記下側電極（Ｃ）は、それぞれ、接地電極として動作させられ、前記第３の電極（Ｂ）は、負荷電極として動作させられる、項目１または２のいずれかに記載の印刷回路基板。
（項目５）
前記電極構成は、前記電極構成の前記上側電極（Ａ）と前記下側電極（Ｃ）との間に配列されている少なくとも１つのさらなる電極を有し、前記上側電極（Ａ）と前記下側電極（Ｃ）との間に配列されている２つのうちの一方の電極は、補償電極（Ｂ）として動作させられ、前記上側電極（Ａ）と前記下側電極（Ｃ）との間に配列されている前記２つのうちのそれぞれの他方の電極は、接地電極（Ｄ）として動作させられる、項目３または４に記載の印刷回路基板。
（項目６）
前記少なくとも１つの電極構成は、前記印刷回路基板（Ｐ）の縁領域に配列されている、項目１〜５のいずれかに記載の印刷回路基板。
（項目７）
前記印刷回路基板（Ｐ）上の前記少なくとも１つの電極構成の前記縁領域における配列は、前記電極構成の少なくとも１つの電極が、前記印刷回路基板（Ｐ）の終了境界（Ｋ）まで延在するように選定されている、項目６に記載の印刷回路基板。
（項目８）
前記電極構成の少なくとも１つの電極は、少なくとも部分的に、前記印刷回路基板（Ｐ）の周りの周辺に配列されている、項目１〜７のいずれかに記載の印刷回路基板。
（項目９）
前記電極構成の少なくとも２つの電極は、前記印刷回路基板（Ｐ）の同じ導電層の一部によって形成されている、項目３から８のいずれかに記載の印刷回路基板。
（項目１０）
前記電極構成の電極のうちの少なくとも１つ、または、少なくとも１つのさらなる電極は、前記印刷回路基板（Ｐ）の表面（Ｋ）の前記縁領域に配列されている導電層によって形成されている、項目１〜９のいずれかに記載の印刷回路基板。
（項目１１）
前記印刷回路基板（Ｐ）は、前記縁領域、好ましくは、前記印刷回路基板（Ｐ）の２つの反対終了境界（Ｋ１、Ｋ２）に配列されている少なくとも２つの電極構成を有し、一方の電極構成の少なくとも１つの電極は、伝送電極として動作可能であり、他方の電極構成の少なくとも１つの電極は、受信電極として動作可能である、項目１〜１０のいずれかに記載の印刷回路基板。
（項目１２）
前記電極構成の少なくとも２つの電極は、異なる交番電気信号で負荷がかけられ得る、項目１〜１１のいずれかに記載の印刷回路基板。
（項目１３）
前記評価デバイス（Ｅ）は、少なくとも２つの動作モードで動作させられ、前記評価デバイス（Ｅ）の動作モードに応じて、前記電極構成のいくつかの電極は各々、交番電気信号で負荷がかけられる、項目１〜１２のいずれかに記載の印刷回路基板。
（項目１４）
前記印刷回路基板は、両面印刷回路基板であり、前記電極構成の電極のうちの少なくとも１つは、前記印刷回路基板（Ｌ）の上側面（Ｏ）に配列され、前記電極構成の残りの電極は、前記印刷回路基板（Ｌ）の下側面（Ｕ）に配列されている、項目１〜１３のいずれかに記載の印刷回路基板。
（項目１５）
前記印刷回路基板（Ｐ）は、少なくとも部分的に、可撓性に設計されている、項目１〜１４のいずれかに記載の印刷回路基板。
（項目１６）
前記印刷回路基板（Ｐ）上に、少なくとも１つのさらなる電極が配列され、前記少なくとも１つのさらなる電極は、前記評価デバイス（Ｅ）と直接結合されず、容量性またはガルバニック様式において、前記電極構成の少なくとも１つの電極と結合される、項目１〜１５のいずれかに記載の印刷回路基板。
（項目１７）
前記少なくとも１つのさらなる電極は、前記印刷回路基板（Ｐ）の導電層の一部によって形成されている、項目１６に記載の印刷回路基板。
（項目１８）
項目１〜１７のいずれかに記載の少なくとも１つの印刷回路基板（Ｐ）を備えている、電気携帯用デバイス。